(57)【特許請求の範囲】
【請求項１】
支持枠体(1)と、同支持枠体(1)に取付けたベッド本体(2)とを具備し、ベッド本体(2)は、水平直状に伸延した横臥使用形態と、中途部が中折れ状に折曲した着座使用形態とに使用形態変更機構(30)を介して形態変更可能とした介護用ベッドにおいて、
前記支持枠体(1)は、前後方向に伸延する前後伸延フレーム(3)と、同前後伸延フレーム(3)の前端位置に横架した支軸(4)と、前記前後伸延フレーム(3)の後部寄り位置に横架した横フレーム(5)と、同横フレーム(5)の左右側端部にそれぞれ立設した支柱(6)とを具備し、
前記ベッド本体(2)は、足載せ部(10)と、同足載せ部(10)の後端縁部に枢支・連結軸(14)を介して前端縁部を枢支・連結した座部(11)と、同座部(11)の後端縁部に前端縁部を枢支・連結した背もたれ部(12)とを具備し、
前記使用形態変更機構(30)は、前記支軸(4)と前記足載せ部(10)との間に介設したリンク機構(31)と、前記支軸(4)と前記枢支・連結軸(14)との間に介設した左右一対の座部支持リンク(32)と、前記背もたれ部(12)の下面前部より前下方へ向けて突設した左右一対のロッド連結アーム(37)と前記リンク機構(31)との間に介設した押引きロッド(33)とを具備し、
前記リンク機構(31)は、前記支軸(4)に下端部を枢支した左右一対の下側リンク(34)と、同下側リンク(34)の上端部間に回動自在に横架して前記押引きロッド(33)の前端部を枢支する中間連結軸(35)と、同中間連結軸(35)に下端部を枢支すると共に、前記足載せ部(10)の下面前部に横架した連結軸(96)に上端部を枢支した左右一対の上側リンク(36)とを具備し、
前記前後伸延フレーム(3)の後部間に横架した支持フレーム(41)と、
同支持フレーム(41)に下端部が枢支されたシリンダ(42)と、
同シリンダ(42)に進退自在に挿通し、上端部を前記背もたれ部(12)の下面後部の連結支持体(46)に取付けたピストンロッド(45)と、
同ピストンロッド(45)の下端部に設けて前記シリンダ(42)内に上・下側空間を形成するピストンと、
同ピストンに設けて前記上・下側空間を連通させる連通路と、
この連通路を開閉する開閉体と、
前記ピストンロッド(45)中に軸線方向に沿わせて挿通し、下端部に前記開閉体を取付けた開閉操作ロッド(49)と、
前記連結支持体(46)に基端部を枢支し、中途部に前記開閉操作ロッド(49)の上端突出部(49a)を当接させたロッド作用アーム(50)と、
同ロッド作用アーム(50)の先端部に一端を接続した押引きワイヤ(53)と、
同押引きワイヤ(53)の他端を接続した操作レバー(52)と
を設けて、
同操作レバー(52)の引き操作にともなって、前記押引きワイヤ(53)を介して前記ロッド作用アーム(50)を回動させて、弾性手段により弾性付勢された前記開閉操作ロッド(49)を弾性付勢力に抗して下降動作させ、同開閉操作ロッド(49)の下端部に取付けた前記開閉体によって前記ピストンの連通路を開放させることにより前記シリンダ(42)内に封入した気体を流動自在として、前記ピストンロッド(45)をスムーズに伸長動作させ、被介護者(P)が上半身を起こすことによりベッド本体(2)を横臥使用形態から着座使用形態に形態変更可能とし、
着座使用形態では、ベッド本体(2)の座部(11)の床面(F)からの高さを、横臥使用形態よりも低くしたことを特徴とする介護用ベッド。
【発明の詳細な説明】
【０００１】
【発明の属する技術分野】
本発明は、介護用ベッドに関する。
【０００２】
【従来の技術】
従来、介護用ベッドの一形態として、支持枠体と、同支持枠体に取付けたベッド本体とを具備し、ベッド本体は、水平直状に伸延した横臥使用形態と、中途部が中折れ状に折曲した着座使用形態とに形態変更可能としたものがある。
【０００３】
そして、かかる介護用ベッドでは、横臥使用形態におけるベッド本体の床面からの高さと、着座使用形態におけるベッド本体の着座位置の床面からの高さは略同一で、被介護者が離着座しやすい高さに設定されている。
【０００４】
【発明が解決しようとする課題】
ところが、上記した介護用ベッドでは、被介護者にとって離着座しやすい高さに設定されている反面、介護者にとっては低すぎるために、体を大きくかがめて介護する必要があり、介護者にとって肉体的疲労が激しく、介護負担が大きいという不具合がある。
【０００５】
【課題を解決するための手段】
そこで、本発明では、支持枠体と、同支持枠体に取付けたベッド本体とを具備し、ベッド本体は、水平直状に伸延した横臥使用形態と、中途部が中折れ状に折曲した着座使用形態とに使用形態変更機構を介して形態変更可能とした介護用ベッドにおいて、以下の特徴を有するものとした。
【０００６】
前記支持枠体は、前後方向に伸延する前後伸延フレームと、同前後伸延フレームの前端位置に横架した支軸と、前記前後伸延フレームの後部寄り位置に横架した横フレームと、同横フレームの左右側端部にそれぞれ立設した支柱とを具備することとした。
前記ベッド本体は、足載せ部と、同足載せ部の後端縁部に枢支・連結軸を介して前端縁部を枢支・連結した座部と、同座部の後端縁部に前端縁部を枢支・連結した背もたれ部とを具備することとした。
前記使用形態変更機構は、前記支軸と前記足載せ部との間に介設したリンク機構と、前記支軸と前記枢支・連結軸との間に介設した左右一対の座部支持リンクと、前記背もたれ部の下面前部より前下方へ向けて突設した左右一対のロッド連結アームと前記リンク機構との間に介設した押引きロッドとを具備することとした。
【０００７】
また、前記リンク機構は、前記支軸に下端部を枢支した左右一対の下側リンクと、同下側リンクの上端部間に回動自在に横架して前記押引きロッドの前端部を枢支する中間連結軸と、同中間連結軸に下端部を枢支すると共に、前記足載せ部の下面前部に横架した連結軸に上端部を枢支した左右一対の上側リンクとを具備することとした。
【０００８】
さらに、前記前後伸延フレームの後部間に横架した支持フレームと、同支持フレームに下端部が枢支されたシリンダと、同シリンダに進退自在に挿通し、上端部を前記背もたれ部の下面後部の連結支持体に取付けたピストンロッドと、同ピストンロッドの下端部に設けて前記シリンダ内に上・下側空間を形成するピストンと、同ピストンに設けて前記上・下側空間を連通させる連通路と、この連通路を開閉する開閉体と、前記ピストンロッド中に軸線方向に沿わせて挿通し、下端部に前記開閉体を取付けた開閉操作ロッドと、前記連結支持体に基端部を枢支し、中途部に前記開閉操作ロッドの上端突出部を当接させたロッド作用アームと、同ロッド作用アームの先端部に一端を接続した押引きワイヤと、同押引きワイヤの他端を接続した操作レバーとを設けることとした。
【０００９】
そして、同操作レバーの引き操作にともなって、前記押引きワイヤを介して前記ロッド作用アームを回動させて、弾性手段により弾性付勢された前記開閉操作ロッドを弾性付勢力に抗して下降動作させ、同開閉操作ロッドの下端部に取付けた前記開閉体によって前記ピストンの連通路を開放させることにより前記シリンダ内に封入した気体を流動自在として、前記ピストンロッドをスムーズに伸長動作させることとした。
【００１０】
これにより、被介護者が上半身を起こすことによりベッド本体を横臥使用形態から着座使用形態に形態変更可能とし、着座使用形態では、ベッド本体の座部の床面からの高さを、横臥使用形態よりも低くした。
【００１１】
【発明の実施の形態】
以下に、本発明の実施の形態について説明する。
【００１２】
すなわち、本発明に係る介護用ベッドは、基本的構造として、支持枠体と、同支持枠体に取付けたベッド本体とを具備し、ベッド本体は、水平直状に伸延した横臥使用形態と、中途部が中折れ状に折曲した着座使用形態とに形態変更可能としている。
【００１３】
そして、上記介護用ベッドは、特徴的構造として、支持枠体とベッド本体との間に、使用形態変更機構を介設して、ベッド本体を使用形態変更機構により、横臥使用形態では、ベッド本体の床面からの高さが、介護者が介護しやすい高さになると共に、着座使用形態では、ベッド本体の着座位置の床面からの高さが、横臥使用形態よりも低く、かつ、被介護者が離着座しやすい高さになるように形態変更可能としている。
【００１４】
このようにして、横臥使用形態においては、介護者は被介護者の介護を楽な姿勢で行なうことができる。その結果、介護者の肉体的疲労を少なくして、介護者負担を軽減することができる。
【００１５】
一方、着座使用形態においては、被介護者はベッド本体に楽に離着座することができる。その結果、この点からも介護者の介護負担を軽減することができる。
【００１６】
また、ベッド本体は、足載せ部と、同足載せ部の後端縁部に前端縁部を枢支・連結した座部と、同座部の後端縁部に前端縁部を枢支・連結した背もたれ部とを具備し、支持枠体に背もたれ部の背面前部を枢支して、同枢支部を中心に同背もたれ部を横臥使用形態の水平位置と着座使用形態の起立位置との間で起倒自在とすると共に、支持枠体と背もたれ部の背面後部との間に、背もたれ部を起倒範囲内の任意の位置で固定・支持する固定・支持手段を介設している。
【００１７】
このようにして、背もたれ部を所望の位置にて固定・支持させることにより、被介護者は、適宜、ベッド本体上にて楽な着座姿勢を採ることができる。
【００１８】
また、固定・支持手段を操作するための操作具を、ベッド本体の頭部配置側の近傍に配設している。
【００１９】
このようにして、被介護者は、横臥姿勢と着座姿勢のいずれの姿勢でも楽に操作具を操作することができて、ベッド本体の使用形態をスムーズに変更することができる。
【００２０】
また、介護者も操作具の操作が楽に行なえて、介護負担を軽減することができる。
【００２１】
ベッド本体の左右側部にそれぞれ側方保護体を取付け、各側方保護体に固定・支持手段を操作するための操作具を取付けている。
【００２２】
このようにして、被介護者は、横臥姿勢と着座姿勢のいずれの姿勢でも楽に操作具を操作することができて、ベッド本体の使用形態をスムーズに変更することができる。
【００２３】
また、介護者も操作具の操作が楽に行なえて、介護負担を軽減することができる。
【００２４】
側方保護体は、ベッド本体の側部に取付けた後半部形成体と、同後半部形成体の前端部に後端部を連結した前半部形成体とを具備し、前半部形成体は、ベッド本体に沿わせて配置した保護体形成位置と、ベッド本体より外側方へ回動させて配置した離着座ガイド位置との間で回動・固定自在としている。
【００２５】
このようにして、被介護者がベッド本体に離着座する際には、前半部形成体を離着座ガイド位置まで回動させて固定しておくことにより、被介護者は前半部形成体を手摺りとして利用して、ベッド本体への離着座が楽に行なえる。
【００２６】
また、被介護者がベッド本体上に横臥している際には、前半部形成体を保護体形成位置まで回動復帰させて固定しておくことにより、横臥した被介護者の側方を保護することができる。
【００２７】
【実施例】
以下に、本発明の実施例を図面を参照しながら説明する。
【００２８】
図１〜図４に示すＡは、本発明に係る介護用ベッドであり、同介護用ベッドＡは、支持枠体１とベッド本体２と側方保護体60,60 とを具備している。Ｆは床面、Ｍはマット、Ｐは被介護者（ベッド使用者）である。
【００２９】
支持枠体１は、図１〜図６に示すように、前後方向に伸延する左右一対の前後伸延フレーム３，３間において、前端部位置に左右方向に伸延する支軸４を横架し、やや後部寄り位置に横フレーム５を横架すると共に、同横フレーム５の左右側端部より左右一対の支柱６，６を立設し、後端部位置に後壁７を立設している。7aは、後壁７の中途部に突設した受体であり、同受体7aによりベッド本体２の後端を受けるようにしている。
【００３０】
ベッド本体２は、図１〜図６に示すように、足載せ部10と、同足載せ部10の後端縁部に前端縁部を枢支・連結した座部11と、同座部11の後端縁部に前端縁部を枢支・連結した背もたれ部12とを具備している。13は、足載せ部10の前端に立設した足側保護壁、14は、足載せ部10と座部11とを枢支・連結する枢支・連結軸、15,16,17,18 はそれぞれ枢支・連結ブラケット、19,20 は枢支・連結ピン、21は、背もたれ部12の後端に立設した頭部側保護壁、92,93 は枢支・連結カバー体、94はマット接着用面ファスナーである。
【００３１】
そして、ベッド本体２は、支持枠体１に設けた左右一対の支柱６，６の上端に、背もたれ部12の下面前部を枢支ブラケット22,22 を介して左右方向に軸線を向けた枢支ピン23,23 により枢支すると共に、支持枠体１との間に使用形態変更機構30を介設している。
【００３２】
使用形態変更機構30は、支持枠体１に設けた支軸４と足載せ部10との間に介設したリンク機構31と、上記支軸４と前記枢支・連結軸14との間に介設した左右一対の座部支持リンク32,32 と、上記リンク機構31と背もたれ部12との間に介設した押引きロッド33とを具備している。
【００３３】
リンク機構31は、支軸４の中途部に下端部を枢支した左右一対の下側リンク34,34 と、両下側リンク34,34 の上端部間に回動自在に横架した中間連結軸35と、同中間連結軸35に下端部を枢支すると共に、足載せ部10の下面前部に支持ブラケット95,95 を介して横架した連結軸96に上端部を枢支した左右一対の上側リンク36,36 とを具備している。
【００３４】
座部支持リンク32,32 は、それぞれ支軸４の左右側端部に下端部を枢支すると共に、枢支・連結軸14の左右側端部に上端部を枢支している。
【００３５】
押引きロッド33は、前後方向に伸延させて、前記中間連結軸35の中央部に前端部を枢支すると共に、背もたれ部12の下面前部より前下方へ向けて突設した左右一対のロッド連結アーム37,37 間に後端部をロッド枢支ピン38により枢支している。
【００３６】
このようにして、ベッド本体２は、図１及び図２に示すように、使用形態変更機構30により、水平直状に伸延した横臥使用形態と、足載せ部10と座部11と背もたれ部12の各枢支・連結位置で中折れ状に折曲した着座使用形態とに形態変更可能としている。
【００３７】
しかも、ベッド本体２は、横臥使用形態では、ベッド本体２の床面Ｆからの高さを、介護者が介護しやすい高さH1に設定すると共に、着座使用形態では、ベッド本体２の座部11の床面Ｆからの高さを、横臥使用形態の設定高さH1よりも低く、かつ、被介護者Ｐが離着座しやすい高さH2に設定して、ベッド本体２を設定高さH1,H2 の間で形態変更可能としている。
【００３８】
従って、横臥使用形態においては、介護者は被介護者Ｐの介護を楽な姿勢で行なうことができる。その結果、介護者の肉体的疲労を少なくして、介護者負担を軽減することができる。
【００３９】
また、着座使用形態においては、被介護者Ｐは座部11に楽に離着座することができて、その結果、この点からも介護者の介護負担を軽減することができる。
【００４０】
さらに、支持枠体１と、背もたれ部12の下面後部との間には、固定・支持手段40を介設している。
【００４１】
そして、固定・支持手段40は、図７に示すように、左右一対の前後伸延フレーム３，３の後部間に横架した支持フレーム41の中央部に、シリンダ42の下端部を枢支ブラケット43を介して左右方向に軸線を向けた枢支ピン44により枢支し、同シリンダ42に進退自在に挿通したピストンロッド45の上端部に連結支持体46を取付け、同連結支持体46を背もたれ部12の下面後部に枢支ブラケット47を介して左右方向に軸線を向けた枢支ピン48により枢支している。
【００４２】
ピストンロッド45中には、軸線方向に沿わせて開閉操作ロッド49を挿通する一方、ピストンロッド45の下端部にピストン（図示せず）を設けて、同ピストンにより気体を封入したシリンダ42内に上・下側空間を形成すると共に、同ピストンに上・下側空間を連通する連通路（図示せず）を形成して、同連通路を上記開閉操作ロッド49の下端部に取付けた開閉体（図示せず）により開閉自在としている。
【００４３】
そして、開閉操作ロッド49は、開閉体が連通路を閉塞する方向に弾性手段（図示せず）により弾性付勢している。
【００４４】
連結支持体46には、ロッド作用アーム50の基端部を枢支ピン51により枢支し、同ロッド作用アーム50の中途部に開閉操作ロッド49の上端突出部49a を当接させている。
【００４５】
また、頭部側保護壁21の左右側上部、すなわち、ベッド本体２上に横臥した被介護者Ｐが操作しやすい位置にそれぞれ操作具としての操作レバー52,52 を取付け、各操作レバー52,52 と前記ロッド作用アーム50の先端部との間に押引きワイヤ53,53 を介設している。
【００４６】
このようにして、被介護者Ｐが操作レバー52を引き操作すると、押引きワイヤ53を介してロッド作用アーム50が枢支ピン51を中心に回動されて、開閉操作ロッド49を弾性付勢力に抗して下降動作させ、同開閉操作ロッド49の下端部に取付けた開閉体がピストンの連通路を開放する。
【００４７】
その結果、連通路を通してシリンダ42内に封入した気体が流動自在となって、同状態にて被介護者Ｐが、上半身を起こすと、ピストンロッド45がスムーズに伸長動作して、ベッド本体２を横臥使用形態より着座使用形態に楽に形態変更することができる。
【００４８】
そして、所望の位置にて操作レバー52の引き操作を解除すると、開閉体が弾性付勢力により連通路を閉塞して、ピストンロッド45の伸長動作を停止させ、同ピストンロッド45により背もたれ部12、さらには、同背もたれ部12に連結した座部11と足載せ部10の姿勢を形態変更位置に保持することができる。従って、被介護者Ｐはベッド本体２上にて所望の着座姿勢を採ることができる。
【００４９】
また、操作レバー52を引き操作すると、ピストンロッド45の伸縮動作が自在となることにより、着座使用形態を任意に変更することも、また、横臥使用形態にもどすこともできる。
【００５０】
この際、被介護者Ｐは、背もたれ部12にもたれかかるようにして上半身の体重を背もたれ部12にかけることにより、ゆるやかにピストンロッド45が短縮動作して、ベッド本体２を横臥使用形態にもどすことができ、楽に、かつ、安心して形態変更操作が行なえる。
【００５１】
また、上記したベッド本体２の使用形態を変更する操作は、操作レバー52を操作して行なうようにしているが、同操作レバー52は、頭部側保護壁21の左右側上部にそれぞれ設け、ベッド本体２上に横臥した被介護者Ｐの頭部の近傍に位置して、左右いずれかの手を伸ばせば楽にとどく位置にあるために、被介護者Ｐは楽に操作することができ、また、介護者も操作レバー52を楽に操作することができて、介護の負担を軽減することができる。
【００５２】
側方保護体60,60 は、図２、図４及び図５に示すように、背もたれ部12の左右側部に、前後一対の昇降用リンク61,61,61,61 を介して、上半部をベッド本体２上に敷設したマットＭよりも上方に立上り状に配置した使用位置と、全体を同マットＭよりも下方に配置した不使用位置との間で位置変更自在に取付けている。62はストッパーピンである。63,64 は枢支・連結ピンである。
【００５３】
図８及び図９は、第２実施例としての側方保護体60を示しており、同側方保護体60は、背もたれ部12の側部に前後一対の昇降用リンク61,61 を介して取付けた枠状の後半部形成体65と、同後半部形成体65の前端部に後端部を連結した枠状の前半部形成体66とを具備している。88は取っ手である。
【００５４】
そして、後半部形成体65は、上・下側フレーム形成片65a,65b と、両フレーム形成片65a,65b の中間に介設した中間フレーム形成片65c と、両フレーム形成片65a,65b の後端間に介設した後側フレーム形成片65d とから形成している。
【００５５】
かかる後半部形成体65には、同後半部形成体65を使用位置と不使用位置との間で位置変更するための位置変更手段67を設けている。
【００５６】
すなわち、位置変更手段67は、昇降用リンク61,61 をロック・解除するロック・解除機構68と、同ロック・解除機構68を操作するロック・解除操作機構69とを具備している。
【００５７】
ロック・解除機構68は、パイプ状の下側フレーム形成片65b 内に配設しており、各昇降用リンク61,61 の枢支・連結ピン63,63 に歯車71,71 を取付け、各歯車71,71 の近傍にロック・解除アーム72,72 を配置すると共に、各ロック・解除アーム72,72 の一端を枢支ピン73,73 により枢支して、各ロック・解除アーム72,72 を前後方向に回動させることにより、各ロック・解除アーム72,72 に突設した係合突片72a,72a を上記歯車71,71 に係合・解除自在となし、各ロック・解除アーム72,72 の他端を、両ロック・解除アーム72,72 間に配置した連動レバー91の両端にそれぞれ連結ロッド74,74 を介して連動連結している。75はレバー支軸、76は係合側付勢スプリングである。
【００５８】
ロック・解除操作機構69は、中間フレーム形成片65c にロック・解除操作レバー77の基端をロック・解除操作レバー支軸79を介して取付け、同ロック・解除操作レバー77を上側フレーム形成片65a に沿わせて配置すると共に、前記連動レバー73に操作ワイヤ78を介して連動連結している。
【００５９】
そして、ロック・解除操作レバー77は、後半部形成体65の上側フレーム形成片65a と一緒に把持するように上方へ回動操作すると、操作ワイヤ78、連動レバー91、連結ロッド74,74 、及び、ロック・解除アーム72,72 を介して係合突片72a,72a が歯車71,71 から歯合解除されて、後半部形成体65を自由に位置変更自在となすことができる。
【００６０】
また、ロック・解除操作レバー77から手を離すと、係合側付勢スプリング76,76 によりロック・解除アーム72,72 が歯車71,71 側へ回動されて、係合突片72a,72a が歯車71,71 に係合して、後半部形成体65を任意の位置にてロック状態となすことができる。
【００６１】
従って、後半部形成体65及びこれに連結した前半部形成体66を具備する側方保護体60は、使用位置と不使用位置との間の任意の位置にて簡単にロックすることができる。
【００６２】
前半部形成体66は、上・下側フレーム形成片66a,66b と、両フレーム形成片66a,66b の前端間に介設した前側フレーム形成片66c と、両フレーム形成片66a,66b の中間に介設した把持フレーム66d とから形成している。
【００６３】
そして、前半部形成体66は、背もたれ部12に沿わせて配置した保護体形成位置と、同背もたれ部12より外側方へ回動させて配置した離着座ガイド位置との間で回動・固定自在としている。
【００６４】
すなわち、前半部形成体66は、後半部形成体65の上・下側フレーム形成体65a,65b の前端部に、上・下側フレーム形成片66a,66b の後端部をそれぞれ上下方向に軸線を向けた枢軸80,81 を介して枢支・連結し、各枢軸80,81 の周面には係合用歯部80a,81a を形成する一方、各係合用歯部80a,81a の近傍に上下側係合片82,83 を各係合用歯部80a,81a に向けて進退自在に配設し、両係合片82,83 同士を連結ワイヤ84を介して連動連結し、下側係合片83にスライド操作片85を連設して、同スライド操作片85を前半部形成体66の下側フレーム形成片66b の上面にスライド自在に取付けている。86,87 は係合側付勢スプリングである。
【００６５】
そして、スライド操作片85は、前方へスライドさせると、上下側係合片82,83 が各係合用歯部80a,81a より係合解除されて、前半部形成体66を外側方へ自由に回動させることができる。
【００６６】
また、スライド操作片85から手を離すと、係合側付勢スプリング86,87 により上下側係合片82,83 が各係合用歯部80a,81a に係合されて、前半部形成体66を任意の位置にて固定状態となすことができる。
【００６７】
従って、前半部形体66は、保護体形成位置と離着座ガイド位置との間の任意の位置にて簡単に固定状態となすことができる。
【００６８】
前半部形成体66の中間に設けた把持フレーム66d は、前高後低の傾斜状に形成しており、同把持フレーム66d に略沿わせて操作レバー52を配置し、同操作レバー52の下端部を、前半部形成体66の下側フレーム形成片66b の中途部に操作レバー支軸90を介して枢支している。
【００６９】
そして、操作レバー52は、把持フレーム66d と一緒に把持すると、押引きワイヤ53を介してロッド作用アーム50を回動させてピストンロッド45を伸長動作させることができるようにしている。
【００７０】
この際、把持フレーム66d は、前高後低の傾斜状となしているために、被介護者Ｐは、横臥姿勢でも着座姿勢でも楽に操作レバー52と一緒に把持することができて、ベッド本体２の形態変更操作を簡単かつ確実に行なうことができる。
【００７１】
【発明の効果】
本発明によれば、次のように効果が得られる。
【００７２】
▲１▼  請求項１記載の本発明では、支持枠体とベッド本体との間に、使用形態変更機構を介設して、ベッド本体を使用形態変更機構により、横臥使用形態では、ベッド本体の床面からの高さが、介護者が介護しやすい高さになると共に、着座使用形態では、ベッド本体の着座位置の床面からの高さが、横臥使用形態よりも低く、かつ、被介護者が離着座しやすい高さになるように形態変更可能としているために、横臥使用形態においては、介護者は被介護者の介護を楽な姿勢で行なうことができる。その結果、介護者の肉体的疲労を少なくして、介護者負担を軽減することができる。
【００７３】
また、着座使用形態においては、被介護者はベッド本体に楽に離着座することができる。その結果、この点からも介護者の介護負担を軽減することができる。
【図面の簡単な説明】
【図１】本発明に係る介護用ベッドの使用状態説明図。
【図２】同介護用ベッドの側面図。
【図３】同介護用ベッドの平面図。
【図４】同介護用ベッドの底面図。
【図５】同介護用ベッドの断面正面図。
【図６】同介護用ベッドの断面背面図。
【図７】固定・支持手段の説明図。
【図８】第２実施例としての側方保護体の側面説明図。
【図９】同側方保護体の一部切欠側面図。
【符号の説明】
Ａ  介護用ベッド
１  支持枠体
２  ベッド本体
10  足載せ部
11  座部
12  背もたれ部
【図１】
0004116140.tif 000002
【図２】
0004116140.tif 000003
【図３】
0004116140.tif 000004
【図４】
0004116140.tif 000005
【図５】
0004116140.tif 000006
【図６】
0004116140.tif 000007
【図７】
0004116140.tif 000008
【図８】
0004116140.tif 000009
【図９】
0004116140.tif 000010